(57)【特許請求の範囲】
【請求項１】
調理等を行う作業領域と食事等を行う非作業領域との間に設置される対面式キッチンユニットであって、非作業領域側から上面のカウンター部が観察可能になされたものにおいて、非作業領域に面する部位に収納部が形成され、非作業領域に面する部位に間仕切り部材が装着され、当該間仕切り部材は、前記キッチンユニット上面のカウンター部よりも上方へ突出する部分を有すると共に、前記キッチンユニットの長手方向に沿って移動可能に構成され、前記収納部の扉を兼ねていることを特徴とする対面式キッチンユニット。
【発明の詳細な説明】
【技術分野】
【０００１】
本発明は、調理を行う台所などの作業領域と、食事を行うダイニングルーム・リビングルームなどの非作業領域との間に設置される対面式キッチンユニットの改良に関する。
【背景技術】
【０００２】
台所とダイニングルームとの間などに設置されるいわゆる対面式キッチンユニットは、配膳や後片づけが容易になる、台所内の作業者とダイニングに居る人との間でコミュニケーションが取りやすい等の利点を有している。しかしながら、シンクにおいて食材や食器の水洗いをするときに水がダイニング・リビング側へ飛び散ったり、コンロでの調理時に油等がダイニング・リビング側へ跳ねたりする等の問題がある。
【０００３】
このような問題点を解決する手段が、特許文献１に記載されている。これは、台所とダイニングルームとの間にフロアキャビネットと吊り戸棚とから成る対面式キッチンユニットを設置し、フロアキャビネットの上方に、吊り戸棚から複数の間仕切り部材をスライド可能に吊り下げ、これを必要時に所定箇所へ移動させることにより水跳ね・油跳ねを防止し、不要時は脇の方へ格納することにより、開口部を広く開けることが出来る、というものである。
【特許文献１】特開平６−３４３５２１号公報
【発明の開示】
【発明が解決しようとする課題】
【０００４】
前記特許文献１に間仕切り部材は、吊り下げ構造のため、フロアキャビネットの上方に吊り戸棚等の支持構造が必要である。従って、フロアキャビネット単独から成るキッチンユニットには適用できないという欠点がある。
【課題を解決するための手段】
【０００５】
前記従来の問題点に鑑み、本発明が採用する請求項１に係る対面式キッチンユニットの特徴は、調理等を行う作業領域と食事等を行う非作業領域との間に設置される対面式キッチンユニットであって、非作業領域側から上面のカウンター部が観察可能になされたものにおいて、非作業領域に面する部位に収納部が形成され、非作業領域に面する部位に間仕切り部材が装着され、当該間仕切り部材は、前記キッチンユニット上面のカウンター部よりも上方へ突出する部分を有すると共に、前記キッチンユニットの長手方向に沿って移動可能に構成され、前記収納部の扉を兼ねていることである。
【０００８】
なお前記対面式キッチンユニットにおいて、間仕切り部材の上部に照明器具を取り付けることが可能である。
【発明の効果】
【０００９】
本発明に係る対面式キッチンユニットは、非作業領域に面する部位に間仕切り部材を設け、カウンター部よりも上方へ突出する部分を有する間仕切り部材をキッチンユニットの長手方向に沿って移動することにより、所要箇所において水跳ね・油跳ねが非作業領域へ及ぶのを阻止出来る。また、非作業領域から、キッチンユニットでの調理や皿洗い等の作業状況が見えないよう目隠しすることができる。さらに本発明では、間仕切り部材をキッチンユニットで支持する構成なので、吊り戸棚のような上方の支持構造が不要である。
【００１１】
本発明に係る対面式キッチンユニットは、間仕切り部材が収納部の扉を兼ねるので、部材点数を減らして、コストダウンを図れる。
【発明を実施するための最良の形態】
【００１３】
［第１の実施形態］
図１に、本発明に係る対面式キッチンユニット１の一例を示す。この対面式キッチンユニット１は、台所等の作業領域と、ダイニングルーム・リビングルーム等の非作業領域との間に配置されるものであって、シンク１ａやコンロ１ｂが設置された作業領域側に面するキャビネット３と、非作業領域側に面する収納部４とを一体構成したものである。上面のカウンター部２は、作業領域側と非作業領域側とで、高低差があまり無いように設定されており、それ故、作業領域側の様子を、非作業領域側から容易に観察できる。
【００１４】
本例では、板状の間仕切り部材１０を、前記対面式キッチンユニット１の非作業領域側に設けた収納部４の入口を覆うように、且つ、当該キッチンユニット１の長手方向に沿って移動可能に取り付けた。この間仕切り部材１０は、シンク１ａにおける洗い物時の水跳ねや、コンロ１ｂでの調理時における油跳ねを防げる程度の高さ寸法及び幅寸法を有するものとする。間仕切り部材１０の材質は、耐腐食性と耐熱性とを備えていることが望ましく、プラスチック・金属・セラミック・強化ガラス・耐水耐熱処理を施した木材等が挙げられる。なお間仕切り部材１０は、キッチンユニット１側を目隠しするため不透明・半透明とするが、所望により透明な部材とすることも可能である。さらには、液晶その他特殊な部材を用いて、通電のＯＮ・ＯＦＦ、温度変化、環境の明るさ等によって、透明度が変化するようにしてもよい。
【００１５】
前記間仕切り部材１０を、キッチンユニット１の長手方向に沿って移動可能に取り付ける手段は、例えば図２に示すような支持構造２０が考えられる。これは、収納部４を構成する天板４ａや棚板４ｂの下面側に固定したガイドレール２１と、このガイドレール２１に沿って摺動するスライダー２２と、該スライダー２２を間仕切り部材１０に連結するブラケット２３とから成っている。但し、間仕切り部材１０を移動可能に支持する構造としては、上記に限定されるものではなく、例えば、間仕切り部材１０側にガイドレールを設け、収納部４側にスライダーやローラを取り付けて摺動させる構造も考えられる。
【００１６】
前述の如く構成した本例の対面式キッチンユニット１は、例えばシンク１ａで食材の水洗いや食器・調理器具の洗浄を行うときには、間仕切り部材１０をシンク１ａの位置まで移動させる。これにより、シンク１ａでの水仕事中に発生する水跳ねが非作業領域へ及ぶのを阻止できる。また、コンロ１ｂでの調理時には、間仕切り部材１０をコンロ１ｂの位置まで移動させることにより、油や食材が飛散しても、これが非作業領域へ達するのを防止できる。
【００１７】
なお本例の間仕切り部材１０は、非作業領域に面して設けた収納部４の開口を一部覆う扉としての機能も果たすから、美観性の向上に貢献する。
【００１８】
［第２の実施形態］
図３（Ａ）に示すように、キッチンユニット１の上方へ突出する間仕切り部材１０の上端部に照明器具３０を取り付け、カウンター２の手元照明として利用することもできる。光源の種類としては、電球・蛍光灯・ＬＥＤ等が挙げられる。
【００１９】
照明器具３０への給電は、電池を装備させるほか、図３（Ｂ）に示すような通電装置を間仕切り部材１０の支持構造２０に設けることも可能である。この通電装置は、ガイドレール２１に固定したブラケット２４に送電線２６を接続した電極２５を設け、間仕切り部材１０側のブラケット２３に設けた集電端子２７を、上記電極２５に接触させることにより、間仕切り部材１０内に配設した配線２８で前記照明器具３０へ電気を供給することが可能である。
【００２０】
なお電極２５は、ガイドレール２１の全長にわたり設けてもよいが、特定の位置にのみ設け、間仕切り部材１０を所定位置に移動させたときのみ、照明器具３０への通電が可能なように構成することもできる。
【００２１】
［第３の実施形態］
間仕切り部材１０を照明手段とするため、間仕切り部材１０を、図４に示すような発光板３２で製作することも考えられる。該発光板３２は、導光板３３の片方の表面に光反射層３４を設け、反対の表面に散乱層３５及び保護層３６を形成し、一端に光源３１を装着したものである。光源３１から光を投射すると、投射光は導光板３３内を表面で反射されながら進行するが、光反射層３４側の表面からは光が外部へ射出せず、もう一方の表面側から散乱層３５で散乱されて外部へ放射される。その結果、発光板３２全体を照明器具とすることが出来る。なお、散乱層３５又は保護層３６に着色して有色発光させ、照明効果を演出することも可能である。
【図面の簡単な説明】
【００２４】
【図１】本発明の第１の実施形態に係るものであって、非作業領域側から見た対面式    キッチンユニットの斜視図である。
【図２】本発明の第１の実施形態に係るものであって、対面式キッチンユニットの側    面断面図である。
【図３】本発明の第２の実施形態に係るものであって、図（Ａ）は間仕切り部材の要    部を示す側面断面図、図（Ｂ）は通電装置を示す側面断面図である。
【図４】本発明の第３の実施形態に係るものであって、間仕切り部材の要部を示す側    面断面図である。
【符号の説明】
【００２５】
１…対面式キッチンユニット  １ａ…シンク  １ｂ…コンロ  ２…カウンター部  ３…キャビネット  ４…収納部  １０…間仕切り部材  ２０…支持構造
【図１】
0004318078.tif 000002
【図２】
0004318078.tif 000003
【図３】
0004318078.tif 000004
【図４】
0004318078.tif 000005